(57)【要約】【課題】  集水桝への水の流入が落葉やゴミなどによって阻害されるのを抑制する。【解決手段】  筒状で集水桝１００の桝本体１０１の上に配設され、複数の通水孔を有する網固定枠２と、網固定枠２の開口を覆い変形自在に配設され、複数の通水孔を有する上部ネット３と、水の浮力によって浮遊するフロート４とを備え、フロート４の浮遊に伴って上部ネット３が浮動するようにフロート４が配設されている。フロート４が雨水などによって浮遊すると上部ネット３が浮動し、上部ネット３上の落葉間などに隙間が形成されたり、落葉などが移動したりして、上部ネット３の通水孔の目詰まりが防止、解消される。【選択図】  図１
2010121346.tif 000002
【特許請求の範囲】
【請求項１】
地中に埋設され上部が開口した桝本体を備えた集水桝の上側に配設される集水桝用カバーであって、
前記桝本体の開口周縁に沿って延びる筒状で、水を通す複数の通水孔を有する側部カバーと、
前記側部カバーの開口を覆い、変形自在に配設され、水を通す複数の通水孔を有する上部カバーと、
を備えることを特徴とする集水桝用カバー。
【請求項２】
液体の浮力によって浮遊する浮遊体を備え、前記浮遊体の浮遊に伴って前記上部カバーが浮動するように前記浮遊体が配設されている、ことを特徴とする請求項１に記載の集水桝用カバー。
【請求項３】
前記浮遊体が前記上部カバーの上方に配設され、前記浮遊体に吊り具を備える、ことを特徴とする請求項２に記載の集水桝用カバー。
【発明の詳細な説明】
【技術分野】
【０００１】
この発明は、雨水などを集水する集水桝に関し、特に、集水桝への水の流入を円滑に維持する集水桝用カバーに関する。
【背景技術】
【０００２】
例えば、送電線の鉄塔が設置されている敷地は、草木が生えることによる周囲環境の悪化や排水効果などを考慮して、コンクリートが張られている。そして、コンクリート上の雨水などを集水して排水するための集水桝が設けられている。図９に示すように、この集水桝１００は、コンクリート（地中）Ｃに埋設され上部が開口した桝本体１０１と、この桝本体１０１の上部開口１０１ａを覆う桝蓋１０２とから構成され、桝蓋１０２には、図１０に示すように、複数の通水孔１０２ａが格子状に形成されている。また、コンクリートＣの上面Ｃ１は、集水桝１００に向って下降するように勾配が設けられ、勾配の下端と桝蓋１０２の上面とが一致している。これにより、コンクリートＣ上の雨水Ｗなどが集水桝１００に向って流れ、桝蓋１０２の通水孔１０２ａから桝本体１０１内に流入するようになっている。
【０００３】
また、桝本体内にゴミなどが流れ込むのを防止可能な桝蓋が知られている（例えば、特許文献１参照。）。この桝蓋は、上面と下面が通水可能な枠体内に石材が充填され、石材によってゴミや枯葉などが桝本体内に流れるのを防止するものである。
【特許文献１】特開平０９−２９６４６７号公報
【発明の開示】
【発明が解決しようとする課題】
【０００４】
ところで、コンクリートＣの上面Ｃ１に落葉Ｙやゴミなどがあると、これらが雨水Ｗなどとともに集水桝１００に向って流れ、図９に示すように桝蓋１０２の上面に溜まる。そして、このようにして落葉Ｙやゴミなどが桝蓋１０２の上面に堆積すると、桝蓋１０２の通水孔１０２ａが目詰まりし、雨水Ｗなどが桝本体１０１内に流入しなくなる。この結果、コンクリートＣの上面Ｃ１に雨水Ｗなどが溜るため、例えば、鉄塔の点検や作業の際に、長靴を履いて落葉Ｙやゴミなどの撤去作業を行って、雨水Ｗなどを排水する必要があり、多大な時間と労力とを要していた。さらに、長期間雨水Ｗなどが溜ると、やぶ蚊などが発生したり、排水場所（集水桝１００）以外から水が流出したり、あるいは周囲環境の悪化、周囲の土砂崩壊の危険性などの問題を引き起すおそれがあった。一方、上記特許文献１に記載されたような桝蓋では、桝本体内にゴミなどが流れ込むのを防止することは可能であるが、桝蓋の上にゴミなどが堆積して目詰まりを起すことは防止、抑制できない。
【０００５】
そこでこの発明は、集水桝への水の流入が落葉やゴミなどによって阻害されるのを抑制することが可能な集水桝用カバーを提供することを目的とする。
【課題を解決するための手段】
【０００６】
上記目的を達成するために請求項１に記載の発明は、地中に埋設され上部が開口した桝本体を備えた集水桝の上側に配設される集水桝用カバーであって、前記桝本体の開口周縁に沿って延びる筒状で、水を通す複数の通水孔を有する側部カバーと、前記側部カバーの開口を覆い、変形自在に配設され（可撓性を有し）、水を通す複数の通水孔を有する上部カバーと、を備えることを特徴とする。
【０００７】
この発明によれば、集水桝に向って雨水などとともに落葉やゴミなどが流れてきた場合には、側部カバーによって落葉などが桝本体の開口側に入り込むことが抑止され、雨水などは側部カバーおよび上部カバーの通水孔を介して桝本体内に流入する。また、落葉などが側部カバーを乗り越えたりして桝本体の開口側に入り込んだ場合であっても、上部カバーによって落葉などが桝本体内に入り込むことがない。さらに、上部カバーを上下に変形などさせることで、上部カバー上の落葉間などに隙間が形成されたり、落葉などが移動したりし、落葉などが堆積することによる通水孔の目詰まりが防止、解消される。
【０００８】
請求項２に記載の発明は、請求項１に記載の集水桝用カバーにおいて、液体の浮力によって浮遊する浮遊体を備え、前記浮遊体の浮遊に伴って前記上部カバーが浮動するように前記浮遊体が配設されている、ことを特徴とする。
【０００９】
この発明によれば、浮遊体が雨水などによって浮遊すると上部カバーが浮動し、上部カバー上の落葉間などに隙間が形成されたり、落葉などが移動したりして、通水孔の目詰まりが防止、解消される。
【００１０】
請求項３に記載の発明は、請求項２に記載の集水桝用カバーにおいて、前記浮遊体が前記上部カバーの上方に配設され、前記浮遊体に吊り具を備える、ことを特徴とする。
【発明の効果】
【００１１】
請求項１に記載の発明によれば、側部カバーによって落葉などが桝本体の開口側に入り込むことが抑止され、また、上部カバーによって落葉などが桝本体内に入り込むことが防止される。さらに、上部カバーを変形させることで、上部カバーの通水孔の目詰まりが防止、解消される。このようにして、集水桝への水の流入が落葉やゴミなどによって阻害されることが抑制される。
【００１２】
請求項２に記載の発明によれば、浮遊体が雨水などによって浮遊することで通水孔の目詰まりが防止、解消されるため、上部カバーを人手などによって変形させる必要がない。つまり、浮遊体が浮遊する程度に水が溜まれば、自動的に目詰まりが解消されるため、水が溜まり続けること（集水桝への水の流入が阻害されること）が自動的に抑制される。
【００１３】
請求項３に記載の発明によれば、吊り具を利用して浮遊体を動かすことで、上部カバーを強制的に変形させて通水孔の目詰まりを防止、解消することができる。さらに、吊り具を利用することで、集水桝用カバー全体を移動させることが容易となる。
【発明を実施するための最良の形態】
【００１４】
以下、この発明を図示の実施の形態に基づいて説明する。
【００１５】
図１、２は、この発明の実施の形態に係る集水桝用カバー１を示す正面図と平面図であり、この集水桝用カバー１は、集水桝１００の上方（上側）に配設されるカバーである。ここで、集水桝１００は従来の集水桝、つまり図９、１０に示す集水桝１００と同等の構成であり、同一符号を付することにより、その説明を省略する。
【００１６】
集水桝用カバー１は、主として、網固定枠（側部カバー）２と、上部ネット（上部カバー）３と、フロート（浮遊体）４とを備えている。
【００１７】
網固定枠２は、網板を円筒状に形成した枠体で、内径が集水桝１００の平面積よりも大きく設定されている。すなわち、網固定枠２を集水桝１００の桝蓋１０２の上に配置した際に、桝蓋１０２が網固定枠２内に位置するように網固定枠２の内径が設定され、桝本体１０１の上部開口１０１ａの周縁、つまり桝蓋１０２の周縁に沿って網固定枠２が延びるようになっている。また、網板の網目の大きさは、落葉Ｙやゴミなどが通らない程度の大きさに設定され、網目（網の糸と糸との間の開口）が水を通す通水孔となっている。
【００１８】
この網固定枠２の高さは、コンクリートＣ上の落葉などが容易に網固定枠２内に乗り越えない高さとなっている。さらに、集水桝用カバー１が水の浮力などによって浮かず安定して設置され、かつ、人力によって容易に搬送できるように、網固定枠２の重量が設定されている。
【００１９】
上部ネット３は、耐水性のロープで構成されたネット（網）で、ネットの網目の大きさは、落葉Ｙやゴミなどが通らない程度の大きさに設定され、網目が水を通す通水孔となっている。この上部ネット３は、網固定枠２の開口（筒内）を覆うように配設されている。すなわち、図３に示すように、上部ネット３の周端部が網固定枠２の内壁面の中央部に接続され、上部ネット３が網固定枠２内を覆うように配設されている。また、上部ネット３は、ロープで構成されているため可撓性を有し、しかも、その展開面積が網固定枠２の内面積も大きく設定されている。このため、図４に示すように、上下方向および水平方向などに変形自在となっている。
【００２０】
フロート４は、雨水など（液体）の浮力によって浮遊するものであり、発泡材などで構成された球体、あるいは内部が空洞な球体となっている。このフロート４は、上部ネット３の上面（上方）中央部に取り付けられ、後述するように、フロート４の浮遊に伴って上部ネット３が浮動するようになっている。さらに、フロート４の上部には、リング状の吊り具４１が設けられている。以上のようにして、網固定枠２、上部ネット３およびフロート４は、連結されている。
【００２１】
次に、このような構成の集水桝用カバー１の作用などについて説明する。ここで、送電線の鉄塔が設置されている敷地内に設置されている集水桝に集水桝用カバー１を適用する場合について説明する。
【００２２】
図５に示すように、鉄塔ＴはコンクリートＣ上に設置され、鉄塔Ｔの中心真下に集水桝１００が設置されている。コンクリートＣの上面Ｃ１は、集水桝１００に向って下降するように勾配が設けられ、勾配の下端と桝蓋１０２の上面とが一致している（図９参照）。これにより、コンクリートＣ上の雨水Ｗなどが集水桝１００に向って流れ、桝蓋１０２の通水孔１０２ａから桝本体１０１内に流入するようになっている。また、桝本体１０１には排水管１０３が接続され、桝本体１０１内の雨水などが排水管１０３を介して外部に排水されるようになっている。
【００２３】
このような集水桝１００に集水桝用カバー１を適用するには、図１に示すように、網固定枠２内に集水桝１００の桝蓋１０２が位置するように、集水桝用カバー１を集水桝１００の上に配置する。このとき、網固定枠２の下端がコンクリートＣの上面Ｃ１に接した状態となる。
【００２４】
このようにして集水桝用カバー１を配置した後に例えば雨が降ると、コンクリートＣの上面Ｃ１上の落葉Ｙやゴミなどが雨水とともに、集水桝１００に向って流れる。この落葉Ｙやゴミなどは、図３に示すように、網固定枠２によって網固定枠２の内側（桝蓋１０２側）に入り込むことが抑止される。一方、雨水は網固定枠２および上部ネット３の網目（通水孔）を介して網固定枠２の内側に流れ、桝蓋１０２の通水孔１０２ａから桝本体１０１内に流入する。また、落葉Ｙなどが網固定枠２を乗り越えたりして網固定枠２の内側に入り込んだ場合には、上部ネット３によって落葉Ｙなどが桝蓋１０２側に入り込むことが防止される。つまり、桝蓋１０２の上に直接落葉Ｙやゴミなどが溜まることがない。
【００２５】
次に、図６に示すように、網固定枠２の側方に落葉Ｙやゴミなどが溜まり、網固定枠２の網目が目詰まりした場合には、上部ネット３の網目を介して雨水が桝蓋１０２の通水孔１０２ａから桝本体１０１内に流入する。
【００２６】
さらに、網固定枠２の側方および上部ネット３の上方に落葉Ｙやゴミなどが溜まり、網固定枠２および上部ネット３の網目が目詰まりして、雨水がコンクリートＣの上面Ｃ１に溜まった場合には、図７に示すように、雨水Ｗの浮力によってフロート４が上方に浮き浮遊する。この浮きと浮遊とに伴って上部ネット３が広く展開し、かつ上下左右に浮動（変形）し、上部ネット３上の落葉Ｙ間などに隙間が形成されたり、落葉Ｙなどが移動したりする。さらに、上部ネット３の周端部が網固定枠２の内壁面の中央部に接続されているため、上部ネット３が広く展開した際に、上部ネット３上の落葉Ｙなどが網固定枠２の外側に落下しやすくなる。そしてこれらにより、上部ネット３の網目の目詰まりが解消され、上部ネット３の網目から桝蓋１０２側に雨水Ｗが流れる。さらに、雨水Ｗが桝本体１０１内に流入することで、雨水Ｗの水位が下がり、フロート４が網固定枠２（桝蓋１０２）側に下がり、上部ネット３が収縮する。このようにして、雨水Ｗの水位の変動に伴って、フロート４の上下動および上部ネット３の伸縮が行われる。
【００２７】
一方、上部ネット３への落葉Ｙなどの溜まり具合などを見て、目詰まりを予防する場合などには、図８に示すように、作業者Ｈが作業棒１１０の先端に取り付けたフック１１０ａをフロート４の吊り具４１に掛け、フロート４を上下左右に動かす。これにより、上記と同様にして上部ネット３上の落葉Ｙ間などに隙間が形成されたり、落葉Ｙなどが移動したりし、上部ネット３の網目の目詰まりが解消あるいは防止される。
【００２８】
また、網固定枠２や上部ネット３に付着した落葉Ｙやゴミなどを除去する場合などには、上記と同様にして作業棒１１０のフック１１０ａを吊り具４１に掛け、作業棒１１０で集水桝用カバー１全体を持ち上げ、所定の場所まで運ぶ。
【００２９】
以上のように、この集水桝用カバー１によれば、まず、桝蓋１０２の上に直接落葉Ｙやゴミなどが溜まることがないため、桝蓋１０２の通水孔１０２ａが目詰まりすることがなく、集水桝１００（桝本体１０１）への水の流入が落葉Ｙやゴミなどによって阻害されることが抑制される。次に、網固定枠２の側方に落葉Ｙやゴミなどが溜まった場合でも、上部ネット３の網目を介して水が桝本体１０１内に流入する。さらに、網固定枠２の側方および上部ネット３の上方に落葉Ｙやゴミなどが溜まった場合でも、フロート４の浮きと浮遊とによって上部ネット３の目詰まりが解消あるいは防止され、上部ネット３から桝本体１０１側に水が流れる。このようにして、集水桝１００への水の流入が落葉Ｙやゴミなどによって阻害されることが抑制される。この結果、雨水ＷなどがコンクリートＣの上面Ｃ１に常時溜まることがなく、やぶ蚊などの発生を防ぎ、周囲環境が良好に保全される。
【００３０】
しかも、フロート４が雨水Ｗなどによって浮遊することで上部ネット３の目詰まりが防止、解消されるため、上部ネット３を人手などによって変形させる必要がない。つまり、上部ネット３が浮遊する程度に雨水Ｗなどが溜まれば、自動的に目詰まりが解消されるため、雨水Ｗなどが溜まり続けること（集水桝１００への水の流入が阻害されること）が自動的に抑制される。さらに、作業棒１１０などで任意に上部ネット３を変形させることで、上部ネット３の目詰まり、つまり集水桝１００への目詰まりを容易かつ迅速に防止、解消することができる。この際、上記のように作業棒１１０をフロート４の吊り具４１に掛けることで、離れた場所から容易に作業を行うことができる。また、集水桝用カバー１全体を搬送したり、付着した落葉Ｙやゴミなどを除去する場合などにも、フロート４の吊り具４１を利用することで作業を容易かつ短時間に行える。しかも、既設の集水桝１００の上に集水桝用カバー１をのせるだけで、このような効果が得られ、既設の集水桝１００をそのまま利用できる。
【００３１】
以上、この発明の実施の形態について説明したが、具体的な構成は、上記の実施の形態に限られるものではなく、この発明の要旨を逸脱しない範囲の設計の変更等があっても、この発明に含まれる。例えば、上記の実施の形態では、フロート４が設けられているが、フロート４を設けずに、人力で上部ネット３を広く展開して上下左右に変形させることで、上部ネット３の目詰まりを解消、防止するようにしてもよい。また、集水桝用カバー１を集水桝１００と一体的に構成してもよい。例えば、集水桝用カバー１の網固定枠２と桝蓋１０２とを接続して一体としてもよい。また、集水桝１００に桝蓋１０２を設けずに、桝本体１０１の上部開口１０１ａを集水桝用カバー１だけで覆うようにしてもよい。さらに、集水桝１００は、道路や造成地の側溝や、住宅街の排水溝などであってもよく、また、網固定枠２は円筒に限らず、角筒であってもよい。
【図面の簡単な説明】
【００３２】
【図１】この発明の実施の形態に係る集水桝用カバーを示す正面図である。
【図２】図１の集水桝用カバーの平面図である。
【図３】図１の集水桝用カバーの網固定枠と上部ネットとの接続部位周辺を示す拡大図である。
【図４】図１の集水桝用カバーのフロートが上方に位置した状態を示す正面図である。
【図５】図１の集水桝用カバーが配置される集水桝の周辺を示す図である。
【図６】図１の集水桝用カバーの網固定枠の側方に落葉やゴミなどが溜まった状態を示す図である。
【図７】図１の集水桝用カバーのフロートが上方に浮いた状態を示す図である。
【図８】図１の集水桝用カバーのフロートを人力によって動かす状態を示す図である。
【図９】従来の集水桝の設置状態を示す図である。
【図１０】図９の集水桝の桝蓋を示す平面図である。
【符号の説明】
【００３３】
１        集水桝用カバー
２        網固定枠（側部カバー）
３        上部ネット（上部カバー）
４        フロート（浮遊体）
４１      吊り具
１００    集水桝
１０１    桝本体
１０２    桝蓋
Ｃ        コンクリート（地中）
Ｗ        雨水
Ｙ        落葉
【図１】
2010121346.tif 000003
【図２】
2010121346.tif 000004
【図３】
2010121346.tif 000005
【図４】
2010121346.tif 000006
【図５】
2010121346.tif 000007
【図６】
2010121346.tif 000008
【図７】
2010121346.tif 000009
【図８】
2010121346.tif 000010
【図９】
2010121346.tif 000011
【図１０】
2010121346.tif 000012